(57)【要約】電気システムは、光スイッチハウジングと、光スイッチハウジングによって支持されたＡＣ−ＤＣコンバーターとを含む。電気システムは、ＡＣ−ＤＣコンバーターの入力にＡＣ信号を提供する入力電力ラインと、ＡＣ−ＤＣコンバーターの出力に接続された出力電力ラインとを含む。電気デバイスは、出力電力ラインから出力信号を受け取ることに応じて作動し、出力信号は、ＤＣ信号である。【選択図】図７ｂ
2013504167.tif 000002
【特許請求の範囲】
【請求項１】
電気システムであって、
ＡＣ−ＤＣコンバーターに作動的に連結された電気コントローラを含む制御アッセンブリを備え、
電気コントローラ及びＡＣ−ＤＣコンバーターは、互いに隣接して配置され、
制御アッセンブリは、ＡＣ信号を受け入れることに応じて電気コントローラが作動されるときに、ＤＣ信号を提供し、
電気システムは、更に、
ＤＣ信号を受け入れることに応じて作動する電気デバイスを備える、電気システム。
【請求項２】
請求項１記載の電気システムにおいて、
制御アッセンブリは、ＡＣ信号を受け入れることに応じて電気コントローラが作動されていないときに、ＤＣ信号を提供しない、電気システム。
【請求項３】
請求項２記載の電気システムにおいて、
電気コントローラは、光スイッチアッセンブリである、電気システム。
【請求項４】
請求項３記載の電気システムにおいて、
電気システムは、光スイッチハウジングを更に含み、
電気コントローラ及びＡＣ−ＤＣコンバーターは、光スイッチハウジングによって支持される、電気システム。
【請求項５】
請求項４記載の電気システムにおいて、
ＡＣ−ＤＣコンバーターは、光スイッチハウジングによって収容される、電気システム。
【請求項６】
請求項１記載の電気システムにおいて、
電気システムは、制御アッセンブリに作動的に接続された電気デバイスを更に含み、
電気デバイスは、作動される電気コントローラに応じて作動する、電気システム。
【請求項７】
請求項６記載の電気システムにおいて、
電気デバイスは、固体発光デバイスである、電気システム。
【請求項８】
請求項１記載の電気システムにおいて、
電気システムは、ＡＣ−ＤＣコンバーターに作動的に接続された光スイッチアッセンブリを更に含み、
光スイッチアッセンブリは、調光スイッチとして作動する、電気システム。
【請求項９】
請求項１記載の電気システムにおいて、
電気コントローラは、光スイッチアッセンブリである、電気システム。
【請求項１０】
電気システムであって、
光スイッチハウジングと、
光スイッチハウジングによって支持されたＡＣ−ＤＣコンバーターと、
ＡＣ−ＤＣコンバーターの入力にＡＣ信号を提供する入力電力ラインと、
ＡＣ−ＤＣコンバーターの出力に接続された出力電力ラインと、を備える、電気システム。
【請求項１１】
請求項１０記載の電気システムにおいて、
電気システムは、ＡＣ−ＤＣコンバーターに作動的に接続された光スイッチを更に含む、電気システム。
【請求項１２】
請求項１１記載の電気システムにおいて、
光スイッチは、調光スイッチとして作動する、電気システム。
【請求項１３】
請求項１１記載の電気システムにおいて、
電気システムは、出力電力ラインと連通する電気デバイスを更に含む、電気システム。
【請求項１４】
請求項１３記載の電気システムにおいて、
電気デバイスは、出力電力ラインからＤＣ信号を受け取ることに応じて作動する、電気システム。
【請求項１５】
請求項１４記載の電気システムにおいて、
ＤＣ信号は、作動される光スイッチに応じて出力電力ラインに提供される、電気システム。
【請求項１６】
請求項１５記載の電気システムにおいて、
ＤＣ信号は、作動されない光スイッチに応じて閾値レベル以下で駆動される、電気システム。
【請求項１７】
電気システムであって、
ＤＣ信号を受け入れることに応じて作動する電気デバイスと、
ＡＣ−ＤＣコンバーターに作動的に接続された光スイッチを含む光スイッチアッセンブリと、を備え、
光スイッチアッセンブリは、作動される光スイッチに応じて電気デバイスにＤＣ信号を提供する、電気システム。
【請求項１８】
請求項１７記載の電気システムにおいて、
光スイッチは、作動されない光スイッチに応じて電気デバイスにＤＣ信号を提供しない、電気システム。
【請求項１９】
請求項１７記載の電気システムにおいて、
光スイッチアッセンブリは、作動されない光スイッチに応じて閾値レベル以下のレベルにＤＣ信号を駆動する、電気システム。
【請求項２０】
請求項１７記載の電気システムにおいて、
光スイッチアッセンブリは、ＡＣ−ＤＣコンバーター及び光スイッチを支持する光スイッチハウジングを含む、電気システム。
【請求項２１】
請求項１７記載の電気システムにおいて、
光スイッチアッセンブリは、調光スイッチとして作動する、電気システム。
【請求項２２】
請求項１７記載の電気システムにおいて、
電気デバイスは、固体発光デバイスである、電気システム。
【請求項２３】
請求項１７記載の電気システムにおいて、
電気システムは、制御信号ＳＣｏｎｔｒｏｌを電気デバイスに提供する電気コントローラを更に含む、電気システム。
【発明の詳細な説明】
【技術分野】
【０００１】
本発明は、建物の電気デバイスに電力を供給することに関する。
【背景技術】
【０００２】
電気コンセント（an electrical outlet）を介するなど、建物の電気デバイスに電力が供給される多くの様々な方法がある。電力の流れは、通常、壁に取り付けられた光スイッチなどのスイッチによって制御される。電気デバイスに電力を供給することに関する詳細な情報は、“Complete Wiring”, I.A., Meredith Publishing Group, 2008 (ISBN:978-0-696-23710-2)で理解されることができる。
【発明の概要】
【発明が解決しようとする課題】
【０００３】
一例では、電気デバイスは、電気コンセントに作動的に接続され、電気デバイスは、電気コンセントからの電力の受け取りに応じて作動される。他の例では、電気デバイスは、光スイッチに作動的に接続された照明システムを含む。照明システムは、光スイッチを作動及び非作動することに応じて作動される。照明システムは、電力を受け取り、作動される光スイッチに応じて光を放つ。さらに、照明システムは、電力を受け取らず、非動作される光スイッチに応じて光を放たない。これらの例の双方において、建物は、電気デバイスへの電力の流れを許容する電気配線を含む。
【０００４】
これらの電気デバイスのいくつかは、ＡＣ電源信号によって駆動され、他のものは、ＤＣ電源信号によって駆動される。しかしながら、これらの電気デバイスに供給される電力は、一般的にＡＣ電源であり、ＤＣ電源ではない。ＤＣ電源信号によって駆動される電気デバイスは、一般的に、ＡＣ電源信号を受け入れてそれをＤＣ電源信号に変換するＡＣ−ＤＣコンバーターを含む。従って、ＤＣ電源信号によって駆動される電気デバイスは、ＡＣ−ＤＣコンバーターを含む。
【０００５】
コストを削減するために、製造者は、故障しやすいＡＣ−ＤＣコンバーターを多くの場合使用する。故障したＡＣ−ＤＣコンバーターは、重大な感電事故及び／又は火災の危険を起こすことがあり得る。
【課題を解決するための手段】
【０００６】
本発明は、建物の電気デバイスにＤＣ電力を提供することに向けられる。本発明の新規な特徴は、添付の特許請求の範囲の特定性で記載される。本発明は、添付の図面と関連して読むときに以下の説明からより理解されるであろう。
【０００７】
本発明のこれらの及び他の特徴、態様及び利点は、以下の図面及び説明を参照して理解されるであろう。
【図面の簡単な説明】
【０００８】
【図１】図１は、制御アッセンブリを含む電気システムのブロック図である。
【図２ａ】図２ａは、図１の電気システムに提供するＡＣ信号ＳＡＣの一例に対する電圧対時間のグラフである。
【図２ｂ】図２ｂは、制御アッセンブリが作動されるときに電気システムによって提供された出力信号ＳＯＵＴの一例に対する電圧対時間のグラフである。
【図２ｃ】図２ｃは、制御アッセンブリが作動されていないときに電気システムによって提供された出力信号ＳＯＵＴの一例に対する電圧対時間のグラフである。
【図２ｄ】図２ｄは、制御アッセンブリが作動された状態と作動されていない状態との間で移動されるときに電気システムによって提供された出力信号ＳＯＵＴの一例に対する電圧対時間のグラフである。
【図２ｅ】図２ｅは、制御信号ＳＣｏｎｔｒｏｌで調整された図２ｄの出力信号ＳＯＵＴの一例に対する電圧対時間のグラフである。
【図３】図３は、電気デバイスに接続された図１の電気システムのブロック図である。
【図４】図４は、図１の電気システムに含まれることができる制御アッセンブリの一実施形態のブロック図である。
【図５ａ】図５ａは、図１の電気システムの実施形態の上面図である。
【図５ｂ】図５ｂは、図１の電気システムの実施形態の上面図である。
【図５ｃ】図５ｃは、電源アダプタ回路として具現化された電気システムの概略図である。
【図６ａ】図６ａは、光スイッチハウジングの斜視図である。
【図６ｂ】図６ｂは、光スイッチアッセンブリの斜視図である。
【図６ｃ】図６ｃは、光スイッチ面プレートの斜視図である。
【図６ｄ】図６ｄは、制光スイッチ面プレートの実施形態である。
【図６ｅ】図６ｅは、制光スイッチ面プレートの斜視図である。
【図７ａ】図７ａは、図６ａの光スイッチハウジングによって支持された図５ａの電気システムの一実施形態の斜視図である。
【図７ｂ】図７ｂは、図６ａの光スイッチハウジングによって支持され、図６ｂの光スイッチアッセンブリに作動的に接続された図５ａの電気システムの斜視図である。
【図７ｃ】図７ｃは、図６ａの光スイッチハウジングによって支持され、図６ｂの光スイッチアッセンブリに作動的に接続された図５ａの電気システムの斜視図である。
【図８ａ】図８ａは、図６ａの光スイッチハウジングによって支持された図５ａの電気システムの一実施形態の斜視図である。
【図８ｂ】図８ｂは、図６ａの光スイッチハウジングによって支持され、図６ｂの光スイッチアッセンブリに作動的に接続された図５ａの電気システムの斜視図である。
【図８ｃ】図８ｃは、図６ａの光スイッチハウジングによって支持され、図６ｂの光スイッチアッセンブリに作動的に接続された図５ａの電気システムの斜視図である。
【図９ａ】図９ａは、図６ａの光スイッチハウジングによって支持された図５ａの電気システムの一実施形態の斜視図である。
【図９ｂ】図９ｂは、図６ａの光スイッチハウジングによって支持され、図６ｂの光スイッチアッセンブリに作動的に接続された図５ａの電気システムの斜視図である。
【図９ｃ】図９ｃは、図６ａの光スイッチハウジングによって支持され、図６ｂの光スイッチアッセンブリに作動的に接続された図５ａの電気システムの斜視図である。
【図１０ａ】図１０ａは、電源アダプタを含む電気システムの一実施形態の斜視図である。
【図１０ｂ】図１０ｂは、図１０ａの電源アダプタ及び図６ａの光スイッチハウジングの斜視図である。
【図１０ｃ】図１０ｃは、図１０ａの電源アダプタ及び図６ａの光スイッチハウジングの斜視図である。
【図１１ａ】図１１ａは、電源アダプタ及び光スイッチハウジングの様々な実施形態である。
【図１１ｂ】図１１ｂは、電源アダプタ及び光スイッチハウジングの様々な実施形態である。
【図１１ｃ】図１１ｃは、電源アダプタ及び光スイッチハウジングの様々な実施形態である。
【図１１ｄ】図１１ｄは、電源アダプタ及び光スイッチハウジングの様々な実施形態である。
【図１２】図１２は、固体発光素子として具現化された電気デバイスの一実施形態の斜視図である。
【図１３ａ】図１３ａは、固体発光素子として具現化された電気デバイスの別の実施形態の斜視図である。
【図１３ｂ】図１３ｂは、図１３ａの電気デバイスの光ソケットの斜視図である。
【図１４】図１４は、電気コネクタを含む電気システムの斜視図である。
【図１５ａ】図１５ａは、図１４の電気コネクタに接続されることができる取り外し可能な光スイッチアッセンブリの一実施形態の前方斜視図である。
【図１５ｂ】図１５ｂは、図１４の電気コネクタに接続されることができる取り外し可能な光スイッチアッセンブリの一実施形態の後方斜視図である。
【図１５ｃ】図１５ｃは、図１４の電気コネクタと接続された及び切断された取り外し可能な光スイッチアッセンブリの斜視図である。
【図１５ｄ】図１５ｄは、図１４の電気コネクタと接続された位置及び切断された位置の取り外し可能な光スイッチアッセンブリの斜視図である。
【図１６ａ】図１６ａは、図１４の電気コネクタに接続されることができる取り外し可能な光スイッチアッセンブリの一実施形態の前方斜視図である。
【図１６ｂ】図１６ｂは、図１４の電気コネクタに接続されることができる取り外し可能な光スイッチアッセンブリの一実施形態の後方斜視図である。
【図１６ｃ】図１６ｃは、図１４の電気コネクタと接続された位置及び切断された位置の取り外し可能な制光スイッチアッセンブリの斜視図である。
【図１６ｄ】図１６ｄは、図１４の電気コネクタと接続された位置及び切断された位置の取り外し可能な制光スイッチアッセンブリの斜視図である。
【図１６ｅ】図１６ｅは、図１４の電気コネクタに接続されたタッチパッドアッセンブリを含む電気システムの斜視図である。
【発明を実施するための形態】
【０００９】
図１は、電気システム１００のブロック図である。この実施形態では、電気システム１００は、制御アッセンブリ１１０がＡＣ信号ＳＡＣの受け取りに応じて作動されるときに出力信号ＳOutを提供する制御アッセンブリ１１０を含む。さらに、制御アッセンブリ１１０は、制御アッセンブリ１１０がＡＣ信号ＳＡＣの受け取りに応じて作動されないときに出力信号ＳOutを提供しない。制御アッセンブリ１１０は、作動されたときに作動状態を有し、制御アッセンブリ１１０は、作動されていないときに不作動状態を有することを留意するべきである。また、出力信号ＳOutは、時には明細書中において出力信号ＳOutputと呼ばれることに留意するべきである。
【００１０】
以下に詳細に説明されるように、制御アッセンブリ１１０は、電気デバイスに接続されることができ、出力信号ＳOutは、制御アッセンブリ１１０と電気デバイスとの間を流れることができる。このように、制御アッセンブリ１１０と電気デバイスは、互いに連通する。以下に詳細に説明されるように、電気デバイスは、作動状態及び不作動状態である制御アッセンブリ１１０に応じて動作する。このように、制御アッセンブリ１１０及び電気デバイスは、互いに作動的に接合される。
【００１１】
ＡＣ信号は、一般的に時間の関数として振動することに留意されるべきである。一例では、ＡＣ信号は、周期的に時間の関数として振動する。周期的に時間の関数として振動するＡＣ信号の例は、正弦波信号である。ＤＣ信号は、周期的に時間の関数として振動しない。従って、ＡＣ信号は、ＤＣ信号ではない。ＡＣ電源、ＤＣ電源、ＡＣ信号及びＤＣ信号に関する詳細な情報は、米国特許第５０１９７６７号、５５６３７８２号、６０６１２６１号、６２６６２６１号、６４５９１７５号、７１０６５６６号及び７３００３０２号で理解されることができ、その全ての内容は、本明細書中に完全に記載されたように参照によって組み込まれる。
【００１２】
いくつかの実施形態では、制御アッセンブリ１１０は、ＡＣ電源信号を受け取ることに応じて制御アッセンブリ１１０が作動されるときに出力電力信号を提供する。さらに、制御アッセンブリ１１０は、ＡＣ電源信号を受け取ることに応じて制御アッセンブリ１１０が作動されないときに出力電力信号を提供しない。
【００１３】
図２ａは、ＡＣ信号ＳＡＣの一例に対する電圧対時間のグラフ１９０である。この例では、ＡＣ信号ＳＡＣは、正弦波の形で変化し、基準電圧レベルＶＲＥＦを中心にして振動し、信号の大きさＶＭＡＧを有する。ＡＣ信号ＳＡＣは、６０ヘルツ（Ｈｚ）などの多くの様々な周波数で振動することができる。信号の大きさＶＭＡＧは、１２０ボルト（Ｖ）などの多くの様々な値を有することができる。
【００１４】
図２ｂは、制御アッセンブリ１１０が作動されたときに出力信号ＳOutの一例に対する電圧対時間のグラフ１９１である。図２ｃは、制御アッセンブリ１１０が作動されていないときに出力信号ＳOutの一例に対する電圧対時間のグラフ１９２である。この例では、出力信号ＳOutは、制御アッセンブリ１１０が作動されていないときに閾値電圧レベルＶＴＨ１よりも小さい値を有する。さらに、出力信号ＳOutは、制御アッセンブリ１１０が作動されているときに閾値電圧レベルＶＴＨ２よりも大きい値を有する。閾値電圧レベルＶＴＨ１は、閾値電圧レベルＶＴＨ２よりも小さいことに留意するべきである。
【００１５】
図２ｄは、制御アッセンブリ１１０が作動されたときに出力信号ＳOutの一例に対する電圧対時間のグラフ１９３である。この例では、制御アッセンブリ１１０は、時間関数として作動状態と不作動状態との間で切り換えられる。出力信号ＳOutが応答で閾値電圧レベルＶＴＨ２よりも大きい値が提供され、かつ、閾値電圧レベルＶＴＨ１よりも小さい値が提供されるように、制御アッセンブリ１１０は、時間関数として作動状態と不作動状態との間で切り換えられる。以下に詳細に説明されるように、出力信号ＳOutは、作動される制御アッセンブリ１１０に応じて閾値電圧レベルＶＴＨ２よりも大きい値が提供され、出力信号ＳOutは、作動されていない制御アッセンブリ１１０に応じて閾値電圧レベルＶＴＨ１よりも小さい値が提供される。
【００１６】
例えば、制御アッセンブリ１１０は、時間ｔ１と時間ｔ２との間の作動しない状態と、時間ｔ２と時間ｔ３との間の作動状態とを有する。制御アッセンブリ１１０は、時間ｔ３と時間ｔ４との間及び時間ｔ４と時間ｔ５との間の作動しない状態を有する。制御アッセンブリ１１０は、時間ｔ５と時間ｔ６との間及び時間ｔ６よりも大きい時間に対して作動状態を有する。時間ｔ２は、時間ｔ１よりも大きく、時間ｔ３は、時間ｔ２よりも大きく、時間ｔ４は、時間ｔ３よりも大きく、時間ｔ５は、時間ｔ４よりも大きく、時間ｔ６は、時間ｔ５よりも大きいことに留意すべきである。
【００１７】
この例では、出力信号ＳOutは、制御アッセンブリ１１０が時間ｔ１と時間ｔ２との間で作動しない状態のとき閾値電圧レベルＶＴＨ１よりも小さい値を有する。出力信号ＳOutは、制御アッセンブリ１１０が時間ｔ２と時間ｔ３との間で作動状態のとき閾値電圧レベルＶＴＨ２よりも小さい値を有する。出力信号ＳOutは、制御アッセンブリ１１０が時間ｔ３と時間ｔ４との間及び時間ｔ４と時間ｔ５との間で作動しない状態のとき閾値電圧レベルＶＴＨ１よりも小さい値を有する。出力信号ＳOutは、制御アッセンブリ１１０が時間ｔ６よりも大きい時間に対して作動状態のとき閾値電圧レベルＶＴＨ２よりも大きい値を有する。様々な理由に対し、出力信号ＳOutに閾値電圧レベルＶＴＨ２よりも大きい値及び閾値電圧レベルＶＴＨ１よりも小さい値を提供することが有益である。
【００１８】
図２ｅは、制御アッセンブリ１１０が作動されたときに出力信号ＳOutの一例に対する電圧対時間のグラフ１９４である。この例では、制御アッセンブリ１１０は、時間関数として作動状態と不作動状態との間で切り換えられる。出力信号ＳOutが応答で閾値電圧レベルＶＴＨ２よりも大きい値が提供され、かつ、閾値電圧レベルＶＴＨ１よりも小さい値が提供されるように、制御アッセンブリ１１０は、時間関数として作動状態と不作動状態との間で切り換えられる。以下に詳細に説明されるように、出力信号ＳOutは、作動される制御アッセンブリ１１０に応じて閾値電圧レベルＶＴＨ２よりも大きい値が提供され、出力信号ＳOutは、作動されていない制御アッセンブリ１１０に応じて閾値電圧レベルＶＴＨ１よりも小さい値が提供される。
【００１９】
例えば、制御アッセンブリ１１０は、時間ｔ１と時間ｔ２との間の作動しない状態と、時間ｔ２と時間ｔ３との間の作動状態とを有する。制御アッセンブリ１１０は、時間ｔ３と時間ｔ４との間及び時間ｔ４と時間ｔ５との間の作動しない状態を有する。制御アッセンブリ１１０は、時間ｔ５と時間ｔ６との間及び時間ｔ６よりも大きい時間に対して作動状態を有する。時間ｔ２は、時間ｔ１よりも大きく、時間ｔ３は、時間ｔ２よりも大きく、時間ｔ４は、時間ｔ３よりも大きく、時間ｔ５は、時間ｔ４よりも大きく、時間ｔ６は、時間ｔ５よりも大きいことに留意すべきである。
【００２０】
この例では、出力信号ＳOutは、制御アッセンブリ１１０が時間ｔ１と時間ｔ２との間で作動しない状態のとき閾値電圧レベルＶＴＨ１よりも小さい値を有する。出力信号ＳOutは、制御アッセンブリ１１０が時間ｔ２と時間ｔ３との間で作動状態のとき閾値電圧レベルＶＴＨ２よりも小さい値を有する。出力信号ＳOutは、制御アッセンブリ１１０が時間ｔ３と時間ｔ４との間及び時間ｔ４と時間ｔ５との間で作動しない状態のとき閾値電圧レベルＶＴＨ１よりも小さい値を有する。出力信号ＳOutは、制御アッセンブリ１１０が時間ｔ６よりも大きい時間に対して作動状態のとき閾値電圧レベルＶＴＨ２よりも大きい値を有する。様々な理由に対し、出力信号ＳOutに閾値電圧レベルＶＴＨ２よりも大きい値及び閾値電圧レベルＶＴＨ１よりも小さい値を提供することが有益である。
【００２１】
この実施形態では、制御アッセンブリ１１０は、矢印１９５によって示されたように、出力信号ＳOutで変調された制御信号ＳControlを提供する。制御信号ＳControlは、わかりやすさ及び議論の容易さのためにハイ状態とロー状態との間で交互に変動する二進信号であるとして示される。しかしながら、制御信号ＳControlは、一般的に、二進データなどの情報に対応するように選択されたハイ状態とロー状態とを含み、二進データは、電気デバイスの動作を制御するために選択されることを留意されるべきである。いくつかの実施形態では、電気デバイスは、出力信号ＳOut及び／又は制御信号ＳControlに応じて動作される電気モータを含む。一例では、電気デバイスは、シーリングファンモータを含むシーリングファンである。シーリングファンに関する詳細な情報は、上述の関連仮出願で提供される。他の例では、電気デバイスは、電気ベントモータを含むベントファンである。
【００２２】
この実施形態では、出力信号ＳOut及び制御信号ＳControlは、導電性ラインなどの線に沿って流れるので双方とも有線信号である。このように、電気デバイスは、出力信号ＳOutで変調された有線信号を受け入れることに応じて動作される。これらの実施形態では、電気デバイスは、有線制御信号ＳControlに応じるコントローラを含む。
【００２３】
しかしながら、いくつかの実施形態では、制御信号ＳControlは、電気デバイスに無線的に流されるワイヤレス信号である。このように、電気デバイスは、出力信号ＳOutで変調されないワイヤレス信号を受け取ることに応じて作動される。電気デバイスに関する情報は、いまより詳細に説明される。これらの実施形態では、電気デバイスは、アンテナを通じて無線制御信号ＳControlに応じるコントローラを含む。
【００２４】
図３は、制御アッセンブリ１１０と連通する電気デバイス１０５を含む電気システム１００のブロック図である。出力信号ＳOutが制御アッセンブリ１１０と電気デバイス１０５と間を流れるように電気デバイス１０５は、制御アッセンブリ１１０と連通する。一実施形態では、電気デバイス１０５は、制御アッセンブリ１１０から出力信号ＳOutを受け取る。
【００２５】
電気デバイス１０５は、制御アッセンブリ１１０に作動的に接続される。電気デバイス１０５は、制御アッセンブリ１１０が電気デバイス１０５の動作を制御するので制御アッセンブリ１１０に作動的に接続される。電気デバイス１０５は、多くの様々な方法で制御アッセンブリ１１０に作動的に接続されることができる。この例では、電気デバイス１０５は、出力信号ＳOutは、閾値電圧レベルＶＴＨ２よりも大きい値を有するため、作動される制御アッセンブリ１１０に応じて作動する。この例では、電気デバイス１０５は、作動されない制御アッセンブリ１１０に応じて動作しない。出力信号ＳOutは、閾値電圧レベルＶＴＨ１よりも小さい値を有するため、電気デバイス１０５は、作動されない制御アッセンブリ１１０に応じて動作しない。このように、電気デバイス１０５は、制御アッセンブリ１１０に作動的に接続される。電気デバイス１０５は、様々な異なるタイプにすることができる。一実施形態では、電気デバイス１０５は、作動するときに光を発し、作動しないときに光を発しない固体発光デバイスとして具現化される。固体発光デバイスの一例は、発光ダイオードである。発光ダイオードは、日本の東京の日亜化学工業やノースカロライナ州のダーラムのクリー株式会社などの多くの様々なメーカーによって提供される。いくつかの固体発光デバイスは、例えば、部屋を照らすために便利である白光色を発することに留意されるべきである。固体発光デバイスに関する詳細な情報は、図９の説明で以下に提供される。
【００２６】
図３及び図２ｄのグラフ１９３を参照すると、電気デバイス１０５は、作動されない制御アッセンブリ１１０に応じて時間ｔ１と時間ｔ２との間で作動しない。電気デバイス１０５は、作動する制御アッセンブリ１１０に応じて時間ｔ２と時間ｔ３との間で作動する。さらに、電気デバイス１０５は、作動しない制御アッセンブリ１１０に応じて時間ｔ３と時間ｔ４との間及び時間ｔ４と時間ｔ５との間で作動しない。電気デバイス１０５は、作動する制御アッセンブリ１１０に応じて時間ｔ６よりも大きい時間に対して作動する。このように、電気デバイス１０５は、作動状態と不作動状態との間で制御アッセンブリ１１０を動かすことに応じて作動状態と不作動状態との間で繰り返し動かすことができる。制御アッセンブリ１１０は、多くの様々なタイプにすることができ、多くの様々なコンポーネントを含むことができ、そのいくつかがここでより詳細に議論されることに留意されるべきである。
【００２７】
図４は、制御アッセンブリ１１０の一実施形態のブロック図である。この実施形態では、制御アッセンブリ１１０は、電気コントローラ１１２と連通するＡＣ−ＤＣコンバーター１１１を含む。ＡＣ−ＤＣコンバーター１１１は、ＡＣ信号ＳＡＣを受け入れ、応答して制御アッセンブリ１１０にＤＣ信号ＳＤＣを提供する。制御アッセンブリ１１０は、ＡＣ−ＤＣコンバーター１１１からＤＣ信号ＳＤＣを受け取り、応答して出力信号ＳOutを提供する。制御アッセンブリ１１０は、ＡＣ信号ＳＡＣの受け取りに応答して電気コントローラ１１２が作動されるときにＤＣ信号ＳＤＣを提供する。さらに、制御アッセンブリ１１０は、ＡＣ信号ＳＡＣの受け取りに応答して電気コントローラ１１２が作動されないときにＤＣ信号ＳＤＣを提供しない。このように、電気システム１００は、ＡＣ−ＤＣコンバーターに作動的に接続された電気コントローラを含む制御アッセンブリ１１０を含む。制御アッセンブリ１１０は、作動される及び作動されない電気コントローラ１１２に応答して作動される及び作動されないことに留意されるべきである。
【００２８】
ＡＣ−ＤＣコンバーター１１１は、多くの様々なタイプのコンバーターにすることができる。コンバーターの例は、米国特許第５３４７２１１号、６６４３１５８号、６６５０５６０号、６７００８０８号、６７７５１６３号、６７９１８５３号、６９０３９５０号に開示され、これらの全ての内容は、本明細書中に完全に記載されたように参照によって組み込まれる。
【００２９】
この実施形態では、電気コントローラ１１２及びＡＣ−ＤＣコンバーター１１１は、互いに隣接して配置される。電気コントローラ１１２及びＡＣ−ＤＣコンバーター１１１は、多くの様々な方法で互いに隣接して配置されることができる。例えば、電気コントローラ１１２及びＡＣ−ＤＣコンバーター１１１は、ハウジングなどの同じ支持構造にそれらを結合することによって互いに隣接して配置されることができる。このように、電気コントローラ１１２及びＡＣ−ＤＣコンバーター１１１は、同じ光スイッチハウジングによって支持される。ハウジングは、光スイッチボックスなどの多くの様々なタイプにすることができる。多くの様々なタイプの光スイッチボックスがあり、そのいくつかは、以下により詳細に説明される。ハウジングが光スイッチボックスである一実施形態では、電気コントローラ１１２は、光スイッチである。光スイッチの例は、以下により詳細に説明される。
【００３０】
いくつかの実施形態では、制御アッセンブリ１１０は、光スイッチハウジングによって収容される。制御アッセンブリ１１０は、光スイッチハウジングの内部容量を通じて延在するときに光スイッチハウジングによって収容される。他の実施形態では、制御アッセンブリ１１０は、光スイッチハウジングによって収容されない。制御アッセンブリ１１０は、光スイッチハウジングの内部容量を通じて延在しないときに光スイッチハウジングによって収容されない。
【００３１】
いくつかの実施形態では、電気コントローラ１１２は、光スイッチハウジングによって収容される。電気コントローラ１１２は、光スイッチハウジングの内部容量を通じて延在するときに光スイッチハウジングによって収容される。他の実施形態では、電気コントローラ１１２は、光スイッチハウジングによって収容されない。電気コントローラ１１２は、光スイッチハウジングの内部容量を通じて延在しないときに光スイッチハウジングによって収容されない。
【００３２】
いくつかの実施形態では、ＡＣ−ＤＣコンバーター１１１は、光スイッチハウジングによって収容される。ＡＣ−ＤＣコンバーター１１１は、光スイッチハウジングの内部容量を通じて延在するときに光スイッチハウジングによって収容される。他の実施形態では、ＡＣ−ＤＣコンバーター１１１は、光スイッチハウジングによって収容されない。ＡＣ−ＤＣコンバーター１１１は、光スイッチハウジングの内部容量を通じて延在しないときに光スイッチハウジングによって収容されない。
【００３３】
いくつかの実施形態では、制御アッセンブリ１１０の一部分は、光スイッチハウジングによって収容され、制御アッセンブリ１１０の他の部分は、光スイッチハウジングによって収容されない。例えば、一実施形態では、電気コントローラ１１２は、光スイッチハウジングによって収容され、ＡＣ−ＤＣコンバーター１１１は、光スイッチハウジングによって収容されない。他の実施形態では、ＡＣ−ＤＣコンバーター１１１は、光スイッチハウジングによって収容され、電気コントローラ１１２は、光スイッチハウジングによって収容されない。
【００３４】
図４及び図２ｄのグラフ１９３を参照すると、制御アッセンブリ１１０は、作動されない電気コントローラ１１２に応答して時間ｔ１と時間ｔ２との間で作動されない。制御アッセンブリ１１０は、作動される電気コントローラ１１２に応答して時間ｔ２と時間ｔ３との間で作動される。さらに、制御アッセンブリ１１０は、作動されない電気コントローラ１１２に応答して時間ｔ３と時間ｔ４との間及び時間ｔ４と時間ｔ５との間で作動されない。制御アッセンブリ１１０は、作動される電気コントローラ１１２に応答して時間ｔ６よりも大きい時間に対して作動される。このように、制御アッセンブリ１１０は、作動状態と不作動状態との間で電気コントローラ１１２を動かすことに応じて作動状態と不作動状態との間で繰り返し動かすことができる。
【００３５】
図５ａは、電気システム１００ａとして示された電気システム１００の一実施形態の上面図である。電気システム１１０ａは、図３の電気システムの実施形態に対応することに留意されるべきである。この実施形態では、電気システム１００ａは、制御アッセンブリ１１０を支持する回路基板１１４を含み、制御アッセンブリ１１０は、チップパッケージ１１３に含まれる。回路基板に関する詳細な情報は、米国特許第５７７７８４４号、６３２０７４８号及び６７２８１０４号で理解されることができ、その全ての内容は、本明細書中に完全に記載されたように参照によって組み込まれる。
【００３６】
この実施形態では、電気システム１００ａは、回路基板１１４によって支持された回路基板端子１１５及び１１６を含む。回路基板端子１１５及び１１６は、それぞれ、チップパッケージ１１３のリード１１９ａ及び１１９ｂと連通される。さらに、電気システム１００ａは、回路基板１１４によって支持された回路基板端子１１７及び１１８を含む。回路基板端子１１７及び１１８は、それぞれ、チップパッケージ１１３のリード１１９ｃ及び１１９ｄと連通される。制御アッセンブリ１１０は、リード１１９ａ、１１９ｂ、１１９ｃ及び１１９ｄと連通されることに留意されるべきである。このように、制御アッセンブリ１１０は、リード１１９ａ、１１９ｂ、１１９ｃ及び１１９ｄを介してそれぞれ回路基板端子１１５、１１６、１１７及び１１８と連通する。
【００３７】
図５ｂは、電気システム１００ｂとして示された電気システム１００の一実施形態の上面図である。電気システム１１０ｂは、図４の電気システムの実施形態に対応することに留意されるべきである。この実施形態では、電気システム１００ｂは、制御アッセンブリ１１０を支持する回路基板１１４を含み、制御アッセンブリ１１０は、ＡＣ−ＤＣコンバーター１１１及び電気コントローラ１１２が含まれる。この実施形態では、ＡＣ−ＤＣコンバーター１１１は、チップパッケージ１１３ａに含まれ、電気コントローラ１１２は、チップパッケージ１１３ｂに含まれる。
【００３８】
この実施形態では、電気システム１００ｂは、回路基板１１４によって支持された回路基板端子１１５及び１１６を含む。回路基板端子１１５及び１１６は、それぞれ、チップパッケージ１１３ａのリード１１９ａ及び１１９ｂと連通される。さらに、チップパッケージ１１３ａは、チップパッケージ１１３ｂのリード１１９ｅ及び１１９ｆに接続されたリード１１９ｃ及び１１９ｄを含む。さらに、電気システム１００ｂは、回路基板１１４によって支持された回路基板端子１１７及び１１８を含む。回路基板端子１１７及び１１８は、それぞれ、チップパッケージ１１３ｂのリード１１９ｇ及び１１９ｈと連通する。
【００３９】
ＡＣ−ＤＣコンバーター１１１は、リード１１９ａ、１１９ｂ、１１９ｃ及び１１９ｄと連通することに留意されるべきである。このように、ＡＣ−ＤＣコンバーター１１１は、リード１１９ａ及び１１９ｂを介して回路基板端子１１５及び１１６と連通する。さらに、電気コントローラ１１２は、リード１１９ｅ、１１９ｆ、１１９ｇ及び１１９ｈと連通する。このように、電気コントローラ１１２は、リード１１９ｇ及び１１９ｈを介して回路基板端子１１７及び１１８と連通する。ＡＣ−ＤＣコンバーター１１１は、リード１１９ｃ及び１１９ｄを介して及びリード１１９ｅ及び１１９ｆを介して電気コントローラ１１２と連通する。
【００４０】
図５ｃは、電源アダプタ回路２０３として具現化された電気システム１００の概略図である。電源アダプタに関する詳細な情報は、図１０ａ−１０ｃ及び図１１ａ−１１ｄと共に以下に提供される。電源アダプタ回路２０３の回路は、しばしば、携帯電話及びトップコンピュータで使用されるものなど、多くの様々なタイプの電源アダプタで含まれる。この実施形態では、電源アダプタ回路２０３は、ダイオードブリッジ１６６を含むＤＣ電源を含む。ＤＣ電源は、ＡＣ信号ＳＡＣを受け取り、出力信号ＳOutputは、変圧器１６５を含むフライバックを通じて応答して提供される。電源アダプタ回路２０３は、制御回路が調光器として動作できるようにパルス幅変調器（ＰＷＭ）を有する制御回路を含む。制御回路は、変圧器１６５に接続される。さらに、制御回路は、出力信号ＳOutputからフィードバック信号指示を受け取る。以下により詳細に説明されるように、スイッチは、制御回路の入力に動作的に接続されることができることを留意されるべきである。パルス幅変調器及び調光器に関する詳細な情報は、米国特許第６０１６０３８号及び６９８９７０１号で理解されることができ、その全ての内容は、本明細書中に完全に記載されたように参照によって組み込まれる。
【００４１】
図６ａは、光スイッチハウジング１２０の斜視図である。光スイッチハウジングは、光スイッチボックスとしてしばしば参照される。光スイッチハウジングは、米国特許第３８６４５６１号、４６７２２２９号、６０５１７８７号、６３５５８８５号及び６６０８２５３号に開示され、その全ての内容は、本明細書中に完全に記載されたように参照によって組み込まれる。
【００４２】
この実施形態では、光スイッチハウジング１２０は、光スイッチハウジング背面１２１から外方に延びる対向した光スイッチハウジング側壁１２２及び１２３を有する光スイッチハウジング背面１２１を含む。光スイッチハウジング１２０は、光スイッチハウジング背面１２１から外方に延びる対向した光スイッチハウジング上壁１２４及び下壁１２５を含む。光スイッチハウジング上壁１２４は、光スイッチハウジング側壁１２２及び１２３の上部分の間を延び、光スイッチハウジング下壁１２５は、光スイッチハウジング側壁１２２及び１２３の下部分の間を延びる。光スイッチハウジング側壁１２２及び１２３と、光スイッチハウジング上壁１２４及び下壁１２５と、光スイッチハウジング背面１２１とは、光スイッチハウジング内部容量１３２を制限する。
【００４３】
この実施形態では、光スイッチハウジング１２０は、光スイッチハウジング上壁１２４から下方に延びる光スイッチハウジング上取付タブ１２８と、光スイッチハウジング下壁１２５から上方に延びる光スイッチハウジング下取付タブ１２９とを含む。光スイッチハウジング上取付タブ１２８及び光スイッチハウジング下取付タブ１２９は、光スイッチに取り付けるためであり、その一つがここにより詳細に説明される。
【００４４】
図６ｂは、光スイッチアッセンブリ１４０ａの斜視図である。光スイッチアッセンブリ１４０ａは、多くの異なるタイプにすることができる。例えば、調光スイッチは、米国特許第３８６４５６１号に開示され、タッチスイッチは、米国特許第４６７２２２９号に開示され、その全ての内容は、本明細書中に完全に記載されたように参照によって組み込まれる。しかしながら、この実施形態では、光スイッチアッセンブリ１４０ａは、ＯＮ／ＯＦＦスイッチとして具現化される。光スイッチアッセンブリ１４０ａに関する詳細な情報は、上記関連仮出願に理解されることができる。
【００４５】
この実施形態では、光スイッチアッセンブリ１４０ａは、光スイッチ１４２ａを支持する光スイッチ本体１４１を含む。光スイッチ１４２ａは、上位置と下位置との間で繰り返し移動可能である。
【００４６】
この実施形態では、光スイッチアッセンブリ１４０ａは、光スイッチ上取付タブ１４３を含む。光スイッチ上取付タブスロット１４５及び光スイッチ上取付タブ開口１４７は、光スイッチ上取付タブ１４３を通じて延びる。
【００４７】
この実施形態では、光スイッチアッセンブリ１４０ａは、光スイッチ下取付タブ１４４を含む。光スイッチ下取付タブスロット１４６及び光スイッチ下取付タブ開口１４８は、光スイッチ下取付タブ１４４を通じて延びる。光スイッチ上取付タブスロット１４５及び光スイッチ下取付タブスロット１４６は、それぞれ、光スイッチハウジング上取付タブ１２８及び光スイッチハウジング下取付タブ１２９に取り付けるためである。光スイッチ上取付タブ開口１４７及び光スイッチ下取付タブ開口１４８は、光スイッチ面プレートに取り付けるためであり、その一つがここにより詳細に説明される。
【００４８】
図６ｃは、光スイッチ面プレート１６０の斜視図である。この実施形態では、光スイッチ面プレート１６０は、光スイッチプレート本体１６０を通って延びる光スイッチスロット１６２ａを有する光スイッチプレート本体１６１を含む。光スイッチスロット１６２ａは、光スイッチ１４２ａを受け入れるように寸法づけられかつ形状づけられる。光スイッチ面プレート１６０は、光スイッチ取付プレート開口１６３及び光スイッチ取付プレート開口１６４を含み、それらは、光スイッチ上取付タブ開口１４７及び光スイッチ下取付タブ開口１４８にそれぞれ整合するように配置される。光スイッチ面プレート１６０は、光スイッチ取付プレート開口１６３及び光スイッチ上取付タブ開口１４７を通じて第１ファスナー（図示せず）を貫通することによって光スイッチアッセンブリ１４０ａに取り付けられる。さらに、光スイッチプレート本体１６０は、光スイッチ取付プレート開口１６４及び光スイッチ下取付タブ開口１４８を通じて第２ファスナー（図示せず）を貫通することによって光スイッチアッセンブリ１４０ａに取り付けられる。第１及び第２ファスナーは、ねじなどの多くの様々なタイプにすることができる。光スイッチプレート本体１６０が光スイッチアッセンブリ１４０ａに取り付けられ、光スイッチアッセンブリ１４０ａが光スイッチハウジング１２０に取り付けられるときに、光スイッチプレート本体１６０は、光スイッチハウジング内部容量１３２を覆うことに留意すべきである。
【００４９】
図６ｄは、調光スイッチアッセンブリ１４０ｂの実施形態である。この実施形態では、調光スイッチアッセンブリ１４０ｂは、光スイッチアッセンブリ１４０ａに似ている。調光スイッチアッセンブリ１４０ｂは、光スイッチアッセンブリ１４０ａの光スイッチ１４２ａを置き換える調光スイッチ１４２ｂを含む。調光スイッチアッセンブリ１４０ｂに関する詳細な情報及びその動作は、上記関連仮出願と共に米国特許第３８６４５６１号で理解されることができる。
【００５０】
図６ｅは、調光スイッチ面プレート１６０ｂの斜視図である。この実施形態では、調光スイッチ面プレート１６０ｂは、光スイッチ面プレート１６０ａと似ている。調光スイッチ面プレート１６０ｂは、調光スイッチ１４２ｂを受け入れるように寸法づけられかつ形状づけられた調光スイッチスロット１６２ｂを含む。調光スイッチ面プレートに関する詳細な情報は、上記関連仮出願で理解されることができる。
【００５１】
図７ａは、電気システム１００ａとして示された電気システム１００の一実施形態の斜視図である。この実施形態では、電気システム１００ａは、光スイッチハウジング１２０（図６ａ）によって支持された制御アッセンブリ１１０を含み、制御アッセンブリ１１０は、図５ａに示されている。しかしながら、他の実施形態では、図７ａの制御アッセンブリ１１０は図５ｂに示されていることを留意されるべきである。
【００５２】
この実施形態では、制御アッセンブリ１１０は、制御アッセンブリ１１０が光スイッチハウジング内部容量１３２を通じて延びるために光スイッチハウジング１２０によって収容される。制御アッセンブリ１１０は、多くの様々な方法で光スイッチハウジング１２０に支持されることができる。この実施形態では、制御アッセンブリ１１０は、光スイッチハウジング側壁１２２に取り付けられる。他の実施形態では、制御アッセンブリ１１０は、光スイッチハウジング側壁１２３に取り付けられる。他の実施形態では、制御アッセンブリ１１０は、光スイッチハウジング上壁１２４又は光スイッチハウジング下壁１２５に取り付けられる。図７ａの電気システム１００ａは、一般的に、ここにより詳細に説明されるように、制御アッセンブリ１１０に動作的に接続されたスイッチアッセンブリを含むことを留意されるべきである。
【００５３】
図７ｂは、制御アッセンブリ１１０に動作的に接続された光スイッチアッセンブリ１４０ａ（図６ｂ）を有する図７ａの電気システム１００ａの斜視図である。この実施形態では、光スイッチアッセンブリ１４０ａは、端子１５０、１５１及び１５２を含む。導電線１７７が端子１５０に接続され、導電線１７３が端子１５１に接続され、導電線１７４が端子１５２に接続される。導電線１７７は、光スイッチハウジング１２０の上導管１３１を貫通し、光スイッチハウジング上壁１２４から上方に延びる。さらに、導電線１７３及び１７４は、それぞれ、図５ａでより詳細に示された回路基板端子１１５及び１１６に接続される。
【００５４】
この実施形態では、電気システム１００ａは、回路基板端子１１６に接続された導電線１７６を含み、導電線１７６は、上導管１３１を貫通する。さらに、電気システム１００ａは、回路基板端子１１７及び１１８にそれぞれ接続された導電線１７０及び１７１を含む。回路基板端子１１７及び１１８は、図５ａにより詳細に示されている。導電線１７０及び１７１は、光スイッチハウジング下壁１２５から下方に延びる光スイッチハウジング１２０の下導管１３０を貫通する。
【００５５】
この実施形態では、ＡＣ信号ＳＡＣは、回路基板端子１１７及び１１８まで導電線１７０と１７１との間を流れる。さらに、ＤＣ信号ＳＤＣは、回路基板端子１１５及び１１６まで導電線１７３と１７４との間を流れる。出力信号ＳＯｕｔｐｕｔは、導電線１７６と１７７との間を流れる。ＡＣ信号ＳＡＣ、ＤＣ信号ＳＤＣ及び出力信号ＳＯｕｔｐｕｔに関するより詳細な情報は、図２ａ−２ｅに関する上述で提供される。いくつかの実施形態では、出力信号ＳＯｕｔｐｕｔは、図２ｅで述べたように、制御信号ＳＣｏｎｔｒｏｌを含む。
【００５６】
図７ｃは、制御アッセンブリ１１０に作動的に接続されると共に光スイッチハウジング１２０に取り付けられた光スイッチアッセンブリ１４０ａを有する図７ａ及び図７ｂの電気システム１００ａの斜視図である。動作では、出力信号ＳＯｕｔは、動作される光スイッチアッセンブリ１４０ａに応じて提供される。さらに、出力信号ＳＯｕｔは、動作されない光スイッチアッセンブリ１４０ａに応じて提供されない。
【００５７】
図８ａは、電気システム１００ｂとして示された電気システム１００の一実施形態の斜視図である。この実施形態では、電気システム１００ｂは、光スイッチハウジング１２０（図６ａ）によって支持された制御アッセンブリ１１０を含み、制御アッセンブリ１１０は、図５ａに示されている。しかしながら、他の実施形態では、制御アッセンブリ１１０は図５ｂに示されていることを留意されるべきである。
【００５８】
この実施形態では、制御アッセンブリ１１０は、制御アッセンブリ１１０が光スイッチハウジング内部容量１３２を通じて延びていないために光スイッチハウジング１２０によって収容されない。制御アッセンブリ１１０は、多くの様々な方法で光スイッチハウジング１２０に支持されることができる。この実施形態では、制御アッセンブリ１１０は、光スイッチハウジング側壁１２３に取り付けられる。他の実施形態では、制御アッセンブリ１１０は、光スイッチハウジング側壁１２２に取り付けられる。他の実施形態では、制御アッセンブリ１１０は、光スイッチハウジング上壁１２４又は光スイッチハウジング下壁１２５に取り付けられる。光スイッチハウジング上開口１２６ａ及び光スイッチハウジング下開口１２７ａは、光スイッチハウジング側壁１２３を貫通することに留意されるべきである。また、図８ａの電気システム１００ｂは、一般的に、ここにより詳細に説明されるように、制御アッセンブリ１１０に動作的に接続されたスイッチアッセンブリを含むことを留意されるべきである。
【００５９】
図８ｂは、制御アッセンブリ１１０に動作的に接続された光スイッチアッセンブリ１４０ａ（図６ｂ）を有する図８ａの電気システム１００ｂの斜視図である。この実施形態では、光スイッチアッセンブリ１４０ａは、端子１５０、１５１及び１５２を含む。導電線１７７が端子１５０に接続され、導電線１７３が端子１５１に接続され、導電線１７４が端子１５２に接続される。導電線１７７は、光スイッチハウジング１２０の上導管１３１を貫通し、光スイッチハウジング上壁１２４から上方に延びる。さらに、導電線１７３及び１７４は、それぞれ、図５ａでより詳細に示された回路基板端子１１５及び１１６に接続される。
【００６０】
この実施形態では、電気システム１００ｂは、回路基板端子１１６に接続された導電線１７７を含み、導電線１７７は、上導管１３１を貫通する。さらに、電気システム１００ｂは、回路基板端子１１７及び１１８にそれぞれ接続された導電線１７０及び１７１を含む。導電線１７０及び１７１は、光スイッチハウジング下壁１２５から下方に延びる光スイッチハウジング１２０の下導管１３０を貫通する。
【００６１】
この実施形態では、ＡＣ信号ＳＡＣは、回路基板端子１１７及び１１８まで導電線１７０と１７１との間を流れる。さらに、ＤＣ信号ＳＤＣは、回路基板端子１１５及び１１６まで導電線１７３と１７４との間を流れる。出力信号ＳＯｕｔｐｕｔは、導電線１７６と１７７との間を流れる。ＡＣ信号ＳＡＣ、ＤＣ信号ＳＤＣ及び出力信号ＳＯｕｔｐｕｔに関するより詳細な情報は、図２ａ−２ｅに関する上述で提供される。いくつかの実施形態では、出力信号ＳＯｕｔｐｕｔは、図２ｅで述べたように、制御信号ＳＣｏｎｔｒｏｌを含む。
【００６２】
図８ｃは、制御アッセンブリ１１０に作動的に接続されると共に光スイッチハウジング１２０に取り付けられた光スイッチアッセンブリ１４０ａを有する図８ａ及び図８ｂの電気システム１００ｂの斜視図である。動作では、出力信号ＳＯｕｔは、動作される光スイッチアッセンブリ１４０ａに応じて提供される。さらに、出力信号ＳＯｕｔは、動作されない光スイッチアッセンブリ１４０ａに応じて提供されない。
【００６３】
図９ａは、電気システム１００ｃとして示された電気システム１００の一実施形態の斜視図である。この実施形態では、電気システム１００ｃは、光スイッチハウジング１２０（図６ａ）によって支持された制御アッセンブリ１１０を含み、制御アッセンブリ１１０は、図５ａに示されている。しかしながら、他の実施形態では、図９ａの制御アッセンブリ１１０は図５ｂに示されていることを留意されるべきである。
【００６４】
この実施形態では、制御アッセンブリ１１０は、制御アッセンブリ１１０が光スイッチハウジング内部容量１３２を通じて延びるために光スイッチハウジング１２０によって収容される。制御アッセンブリ１１０は、多くの様々な方法で光スイッチハウジング１２０に支持されることができる。この実施形態では、制御アッセンブリ１１０は、光スイッチハウジング側壁１２２に取り付けられる。他の実施形態では、制御アッセンブリ１１０は、光スイッチハウジング側壁１２３に取り付けられる。他の実施形態では、制御アッセンブリ１１０は、光スイッチハウジング上壁１２４又は光スイッチハウジング下壁１２５に取り付けられる。図９ａの電気システム１００ｃは、一般的に、ここにより詳細に説明されるように、制御アッセンブリ１１０に動作的に接続されたスイッチアッセンブリを含むことを留意されるべきである。
【００６５】
図９ｂは、制御アッセンブリ１１０に動作的に接続された調光スイッチアッセンブリ１４０ｂ（図６ｄ）を有する図９ａの電気システム１００ｃの斜視図である。この実施形態では、光スイッチアッセンブリ１４０ｂは、端子１５０、１５１及び１５２を含む。導電線１７７が端子１５０に接続され、導電線１７３が端子１５１に接続され、導電線１７４が端子１５２に接続される。導電線１７７は、光スイッチハウジング１２０の上導管１３１を貫通し、光スイッチハウジング上壁１２４から上方に延びる。さらに、導電線１７３及び１７４は、それぞれ、図５ａでより詳細に示された回路基板端子１１５及び１１６に接続される。
【００６６】
この実施形態では、電気システム１００ｃは、回路基板端子１１６に接続された導電線１７６を含み、導電線１７６は、上導管１３１を貫通する。さらに、電気システム１００ｃは、回路基板端子１１７及び１１８にそれぞれ接続された導電線１７０及び１７１を含む。回路基板端子１１７及び１１８は、図５ａにより詳細に示されている。導電線１７０及び１７１は、光スイッチハウジング下壁１２５から下方に延びる光スイッチハウジング１２０の下導管１３０を貫通する。
【００６７】
この実施形態では、ＡＣ信号ＳＡＣは、回路基板端子１１７及び１１８まで導電線１７０と１７１との間を流れる。さらに、ＤＣ信号ＳＤＣは、回路基板端子１１５及び１１６まで導電線１７３と１７４との間を流れる。出力信号ＳＯｕｔｐｕｔは、導電線１７６と１７７との間を流れる。ＡＣ信号ＳＡＣ、ＤＣ信号ＳＤＣ及び出力信号ＳＯｕｔｐｕｔに関するより詳細な情報は、図２ａ−２ｅに関する上述で提供される。いくつかの実施形態では、出力信号ＳＯｕｔｐｕｔは、図２ｅで述べたように、制御信号ＳＣｏｎｔｒｏｌを含む。
【００６８】
図９ｃは、制御アッセンブリ１１０に作動的に接続されると共に光スイッチハウジング１２０に取り付けられた調光スイッチアッセンブリ１４０ｂを有する図９ａ及び図９ｂの電気システム１００ａの斜視図である。動作では、出力信号ＳＯｕｔは、調整される調光スイッチアッセンブリ１４０ｂに応じて提供される。
【００６９】
図１０ａは、電気システム１００ｄとして示された電気システム１００の斜視図である。この実施形態では、電気システム１００ｄは、電源アダプタハウジング２０１によって支持された電源アダプタ回路２０２を有する電源アダプタ２００を含む。電源アダプタ回路２０２は、携帯電話及びトップコンピュータ用の電源コードに含まれているものなどの電源アダプタ回路の多くの様々なタイプにすることができる。電源アダプタ回路に関する詳細な情報は、本明細書中で引用された参照と共に、上記関連仮出願で提供される。この実施形態では、電源アダプタ回路２０２は、図５ｃの電源アダプタ回路２０３を含む。電気システム１００ｄは、電源アダプタ回路２０３に作動的に接続された調光スイッチアッセンブリ１４０ｂを含む。特に、電気システム１００ｄは、パルス波変調器１６７の入力に作動的に接続された調光スイッチアッセンブリ１４０ｂを含む。
【００７０】
この実施形態では、導電線１７０及び１７１は、それぞれ、電源アダプタハウジング下開口１５６及び１５７を貫通する。さらに、導電線１７６及び１７７は、それぞれ、電源アダプタハウジング上開口１５４及び１５５を貫通する。導電線１７０、１７１、１７６及び１７７は、電源アダプタ回路２０２と連通する。ＡＣ信号ＳＡＣは、導電線１７０及び１７１を通って電源アダプタ回路２０２に提供され、出力信号ＳＯｕｔｐｕｔは、電源アダプタ回路２０２から導電線１７６及び１７７を通って流れる。ＡＣ信号ＳＡＣ、ＤＣ信号ＳＤＣ及び出力信号ＳＯｕｔｐｕｔに関するより詳細な情報は、図２ａ−２ｅに関する上述で提供される。いくつかの実施形態では、出力信号ＳＯｕｔｐｕｔは、図２ｅで述べたように、制御信号ＳＣｏｎｔｒｏｌを含む。
【００７１】
図１０ｂ及び１０ｃは、図１０ａの電源アダプタ２００及び図６ａの光スイッチハウジング１２０の斜視図である。この実施形態では、電源アダプタ２００は、光スイッチハウジング内部容量１３２（図１０ｂ）から離れた位置と、光スイッチハウジング内部容量１３２（図１０ｃ）を通って延びる位置との間で繰り返し移動可能である。電源アダプタ２００は、光スイッチハウジング内部容量１３２によって受け入れられることに応じて光スイッチハウジング内部容量１３２を通じて延びる。電源アダプタ２００は、光スイッチハウジング内部容量１３２によって受け入れられ、電源アダプタ２００は、光スイッチハウジング内部容量１３２によって支持される。
【００７２】
この実施形態では、光スイッチハウジング１２０は、光スイッチハウジング上開口１３４及び１３５を含み、それらは、光スイッチハウジング上壁１２４を貫通する。光スイッチハウジング上開口１３４及び１３５は、光スイッチハウジング内部容量１３２によって受け入れられる電源アダプタ２００に応じて電源アダプタハウジング上開口１５４及び１５５と整合するように位置づけられる。さらに、光スイッチハウジング１２０は、光スイッチハウジング下開口１３６及び１３７を含み、それらは、光スイッチハウジング下壁１２５を貫通する。光スイッチハウジング下開口１３６及び１３７は、光スイッチハウジング内部容量１３２によって受け入れられる電源アダプタ２００に応じて電源アダプタハウジング下開口１５６及び１５７と整合するように位置づけられる。
【００７３】
図１０ｃでは、電源アダプタ２００は、光スイッチハウジング内部容量１３２によって受け入れられ、光スイッチハウジング上開口１３４及び１３５は、電源アダプタハウジング上開口１５４及び１５５と整合され、光スイッチハウジング下開口１３６及び１３７は、電源アダプタハウジング下開口１５６及び１５７と整合される。このように、導電線１７６及び１７７は、それぞれ、光スイッチハウジング上開口１３４及び１３５を貫通し、導電線１７０及び１７１は、それぞれ、光スイッチハウジング下開口１３６及び１３７を貫通する。動作では、出力信号ＳＯｕｔは、調整される調光スイッチアッセンブリ１４０ｂに応じて提供される。
【００７４】
図１１ａ及び１１ｂは、電気システム１００ｅとして示された電気システム１００の斜視図である。この実施形態では、電気システム１００ｅは、それぞれ、電源アダプタ回路２０２ａ及び２０２ｂを有する電源アダプタ２００ａ及び２００ｂを含む。電源アダプタ回路２００ａ及び２００ｂは、電源アダプタハウジング２０１ａ及び２０１ｂによって支持される。電源アダプタ回路２００ａ及び２００ｂは、携帯電話及びトップコンピュータ用の電源コードに含まれているものなどの電源アダプタ回路の多くの様々なタイプにすることができる。電源アダプタ回路に関する詳細な情報は、本明細書中で引用された参照と共に、上記関連仮出願で提供される。この実施形態では、電源アダプタ回路２０２ａ及び２０２ｂは、図５ｃの電源アダプタ回路２０３を含む。電気システム１００ｅは、電源アダプタ回路２０２ａに作動的に接続された調光スイッチアッセンブリ１４０ｂ及び電源アダプタ回路２０２ｂに作動的に接続された調光スイッチアッセンブリ１４０ｃを含む。
【００７５】
この実施形態では、導電線１７０ａ及び１７１ａは、図１１ｂに示されるように、それぞれ、電源アダプタハウジング下開口１５６ａ及び１５７ａを貫通する。さらに、導電線１７６ａ及び１７７ａは、それぞれ、電源アダプタハウジング上開口１５４ａ及び１５５ａを貫通する。導電線１７０ａ、１７１ａ、１７６ａ及び１７７ａは、電源アダプタ回路２０２ａと連通する。ＡＣ信号ＳＡＣは、導電線１７０ａ及び１７１ａを通って電源アダプタ回路２０２ａに提供され、出力信号ＳＯｕｔｐｕｔは、電源アダプタ回路２０２ａから導電線１７６ａ及び１７７ａを通って流れる。ＡＣ信号ＳＡＣ、ＤＣ信号ＳＤＣ及び出力信号ＳＯｕｔｐｕｔに関するより詳細な情報は、図２ａ−２ｅに関する上述で提供される。いくつかの実施形態では、出力信号ＳＯｕｔ１は、図２ｅで述べたように、制御信号ＳＣｏｎｔｒｏｌを含むことに留意されるべきである。
【００７６】
この実施形態では、導電線１７０ｂ及び１７１ｂは、図１１ｂに示されるように、それぞれ、電源アダプタハウジング下開口１５６ｂ及び１５７ｂを貫通する。さらに、導電線１７６ｂ及び１７７ｂは、それぞれ、電源アダプタハウジング上開口１５４ｂ及び１５５ｂを貫通する。導電線１７０ｂ、１７１ｂ、１７６ｂ及び１７７ｂは、電源アダプタ回路２０２ｂと連通する。ＡＣ信号ＳＡＣは、導電線１７０ｂ及び１７１ｂを通って電源アダプタ回路２０２ｂに提供され、出力信号ＳＯｕｔｐｕｔは、電源アダプタ回路２０２ｂから導電線１７６ｂ及び１７７ｂを通って流れる。ＡＣ信号ＳＡＣ、ＤＣ信号ＳＤＣ及び出力信号ＳＯｕｔｐｕｔに関するより詳細な情報は、図２ａ−２ｅに関する上述で提供される。いくつかの実施形態では、出力信号ＳＯｕｔ２は、図２ｅで述べたように、制御信号ＳＣｏｎｔｒｏｌを含むことに留意されるべきである。動作では、出力信号ＳＯｕｔ１は、調整される調光スイッチアッセンブリ１４０ｂに応じて提供される。さらに、出力信号ＳＯｕｔ２は、調整される調光スイッチアッセンブリ１４０ｃに応じて提供される。
【００７７】
図１１ｃ及び１１ｄは、電気システム１００ｆ及び１００ｇとしてそれぞれ示された電気システム１００ｅの代替実施形態である。図１１ｃの実施形態では、電気システム１００ｆは、細長い電源アダプタハウジング２０１ｄを通って延びる電源アダプタハウジング上開口１５４ａ、１５５ａ、１５４ｂ及び１５５ｂを有する細長い電源アダプタハウジング２０１ｄを含む。さらに、細長い電源アダプタハウジング２０１ｄは、細長い電源アダプタハウジング２０１ｄを通って延びる電源アダプタハウジング下開口１５６ａ、１５７ａ、１５６ｂ及び１５７ｂを有する。図１１ｃの実施形態では、電気システム１００ｆは、電源アダプタ回路２０２に作動的に接続された調光スイッチアッセンブリ１４０ｂを含む。
【００７８】
図１２は、固体発光素子１８０として具現化された電気デバイス１０５の一実施形態の斜視図である。この実施形態では、固体発光素子１８０は、光ソケット本体１８２を有する光ソケット１８１を含む。光ソケット１８１は、光ソケット端子１８３及び１８４を支持し、光ソケット端子１８３及び１８４は、線１７６及び１７７に接続される。光ソケット端子１８３及び１８４は、線１７６及び１７７に接続され、出力信号ＳＯｕｔは、固体発光素子１８０に提供される。光ソケット本体１８２は、固体ランプなどのランプを受け入れるためのレセプタクル１８５を含み、それは、ここにより詳細に説明される。
【００７９】
この実施形態では、固体発光素子１８０は、固体ランプ本体１８８を有する固体ランプ１８６を含む。固体ランプ１８６は、レセプタクル１８５によって受け入れられるように寸法づけられると共に形状づけられた光ソケットコネクタ１８７を含む。固体ランプ１８６は、複数のＬＥＤ１８９ａを含むＬＥＤアレイ１８９を含む。一般的に、固体ランプ１８６は、一つ以上のＬＥＤを含むことに留意されるべきである。ＬＥＤアレイ１８９は、白色光などの多くの異なる光の色を発することができる。
【００８０】
図１２及び図２ｄのグラフ１９３を参照すると、固体発光素子１８０は、作動されていない制御アッセンブリ１１０に応じて時間ｔ１と時間ｔ２との間で光を発しない。固体発光素子１８０は、機能的に作用し、作動される制御アッセンブリ１１０に応じて時間ｔ２と時間ｔ３との間で光を発する。さらに、固体発光素子１８０は、機能的に作用せず、作動されていない制御アッセンブリ１１０に応じて時間ｔ３と時間ｔ４との間及び時間ｔ４と時間ｔ５との間で光を発しない。固体発光素子１８０は、機能的に作用し、作動される制御アッセンブリ１１０に応じて時間ｔ６よりも大きい時間に対して光を発する。このように、固体発光素子１８０は、作動状態と不作動状態との間で制御アッセンブリ１１０を動かすことに応じて作動状態と不作動状態との間で繰り返し動かすことができる。
【００８１】
図１３ａは、固体発光素子１８０ａとして具現化された電気デバイス１０５の一実施形態の斜視図である。この実施形態では、固体発光素子１８０ａは、光ソケット本体１８２を有する光ソケット１８１ａを含む。光ソケット本体１８２は、固体ランプなどのランプを受け入れるためのレセプタクル１８５を含む。光ソケット１８１ａは、光ソケット端子１８３ａ及び１８４ａを支持し、光ソケット端子１８３ａ及び１８４ａは、線１７６ａ及び１７７ａに接続される。光ソケット端子１８３ａ及び１８４ａは、線１７６ａ及び１７７ａに接続され、出力信号ＳＯｕｔは、固体発光素子１８０に提供される。光ソケット１８１ａは、図１３ｂに示されるように、光ソケット端子１８３ｂ及び１８４ｂを支持し、光ソケット端子１８３ｂ及び１８４ｂは、線１７６ｂ及び１７７ｂに接続され、出力信号ＳＯｕｔは、固体発光素子１８０に提供される。
【００８２】
この実施形態では、固体発光素子１８０は、固体ランプ本体１８８を有する固体ランプ１８６ａを含む。固体ランプ１８６は、レセプタクル１８５によって受け入れられるように寸法づけられると共に形状づけられた光ソケットコネクタ１８７を含む。固体ランプ１８６は、複数のＬＥＤを含むＬＥＤアレイ１８９を含む。この実施形態では、ＬＥＤアレイ１８９は、異なる光の波長を発するＬＥＤ１８９ａ及び１８９ｂを含む。動作では、ＬＥＤ１８９ａは、出力信号ＳＯｕｔ１に応じて動作し、ＬＥＤ１８９ｂは、出力信号ＳＯｕｔ２に応じて動作する。出力信号ＳＯｕｔ１及び出力信号ＳＯｕｔ２は、多くの様々な方法で固体発光素子１８０ａに提供されることができる。一実施形態では、出力信号ＳＯｕｔ１及び出力信号ＳＯｕｔ２は、固体発光素子１８０ａを電気システム１００ｅに作動的に接続することによって固体発光素子１８０ａに提供されることができる。他の実施形態では、出力信号ＳＯｕｔ１及び出力信号ＳＯｕｔ２は、固体発光素子１８０ａを電気システム１００ｆに作動的に接続することによって固体発光素子１８０ａに提供されることができる。
【００８３】
図１４は、電気システム１００ｇの斜視図である。この実施形態では、電気システム１００ｇは、光スイッチハウジング側壁１２３を貫通する電源アダプタハウジング上開口１５４及び１５５及び電源アダプタハウジング下開口１５６及び１５７を有する光スイッチハウジング１２０を含む。この実施形態では、導電線１７０及び１７１は、それぞれ、電源アダプタハウジング下開口１５６及び１５７を貫通する。さらに、導電線１７６及び１７７は、それぞれ、電源アダプタハウジング上開口１５４及び１５５を貫通する。導電線１７０、１７１、１７６及び１７７は、光スイッチハウジング１２０によって収容された制御アッセンブリ１１０に接続される。
【００８４】
この実施形態では、電気システム１００ｇは、光スイッチハウジング１２０によって支持された電気コネクタ２２０を含む。電気コネクタ２２０は、以下により詳細に説明されるように、移動可能スイッチアッセンブリに接続可能である。電気コネクタ２２０は、面プレート部分２２３を貫通する複数の電気接続開口２３０、２３１、２３２、２３３、２３４、２３５、２３６、２３７、２３８及び２３９を有する面プレート２２３を含む。電気接続開口２３０、２３１、２３２、２３３、２３４、２３５、２３６、２３７、２３８及び２３９は、対応する導電線（図示せず）によって制御アッセンブリ１１０に接続される。このように、電気コネクタ２２０は、制御アッセンブリ１１０に接続される。一つ以上の電気接続開口２３０、２３１、２３２、２３３、２３４、２３５、２３６、２３７、２３８及び２３９が制御アッセンブリ１１０を通じて導電線１７１、１７６及び／又は１７７と連通することに留意されるべきである。
【００８５】
電気コネクタ２２０は、取付開口２２４、２２５、２２６、２２７、２２８及び２２９として示された複数の取付開口を含む。取付開口２２４及び２２５は、面プレート部分２２３の上フランジ部分２２１を貫通し、取付開口２２６及び２２７は、面プレート部分２２３の下フランジ部分２２２を貫通する。
【００８６】
図１５ａ及び１５ｂは、それぞれ、取り外し可能な光スイッチアッセンブリ２４０ａの一実施形態の前方斜視図及び後方斜視図である。この実施形態では、取り外し可能な光スイッチアッセンブリ２４０ａは、光スイッチアッセンブリ１４０ａを支持する面プレート２４３を含み、光スイッチアッセンブリ２４０ａは、端子２５０、２５１、２５２、２５３、２５４及び２５５の所望の組み合わせと連通する。光スイッチアッセンブリ２４０ａは、一つ以上の信号がそれらの間に流れるように端子２５０、２５１、２５２、２５３、２５４及び２５５の所望の組み合わせに接続されるので、光スイッチアッセンブリ１４０ａは、端子２５０、２５１、２５２、２５３、２５４及び２５５の所望の組み合わせと連通する。一般的に、光スイッチアッセンブリ１４０ａは、二つ以上の端子と連通することに留意されるべきである。しかしながら、６つの端子が例示目的のために本明細書中に記載される。
【００８７】
この実施形態では、取り外し可能な光スイッチアッセンブリ２４０ａは、取付開口２４４、２４５、２４６及び２４７を含む。取付開口２４４及び２４５は、面プレート部分２２３の上フランジ部分２４１を貫通し、取付開口２４６及び２４７は、面プレート部分２２３の下フランジ部分２４２を貫通する。取付開口２４４及び２４５は、図１５ｃの電気システム１００ｉで示されると共に図１５ｄに示されるように、取り外し可能な光スイッチアッセンブリ２４０ａが電気コネクタ２２０に作動的に接続されるときに、取付開口２２４及び２２５と整合される。さらに、取付開口２４６及び２４７は、取り外し可能な光スイッチアッセンブリ２４０ａが電気コネクタ２２０に作動的に接続されるときに、取付開口２２６及び２２７と整合される。この実施形態では、電気コネクタ２２０に作動的に接続される取り外し可能な光スイッチアッセンブリ２４０ａに応じて、端子２５３、２５４及び２５５は、それぞれ、電気接続開口２３５、２３７及び２３９によって受け入れられる。
【００８８】
この実施形態では、取り外し可能な光スイッチアッセンブリ２４０ａは、図１５ｄに示された電気コネクタ２２０に接続された位置と、図１５ｄに示された電気コネクタ２２０から切断された位置との間で繰り返し的に移動できることを留意されるべきである。動作では、出力信号ＳＯｕｔは、作動される光スイッチアッセンブリ１４０ａに応じて提供される。さらに、出力信号ＳＯｕｔは、作動されていない光スイッチアッセンブリ１４０ａに応じて提供されない。動作では、出力信号ＳＯｕｔは、調整される移動可能な光スイッチアッセンブリ２４０ａに応じて提供される。
【００８９】
他の実施形態では、光スイッチアッセンブリ２４０ａは、電気コネクタ２２０から離れて配置され、電気コネクタ２２０に接続される。光スイッチアッセンブリ２４０ａは、一つ以上のワイヤを使用することなど、多くの様々な方法で電気コネクタ２２０から離れて配置され、電気コネクタ２２０に接続される。例えば、一実施形態では、第１ワイヤが端子２５３と電気接続開口２３５との間に延び、第２ワイヤが端子２５５と電気接続開口２３７との間に延び、及び、第３ワイヤが端子２５５と電気接続開口２３９との間に延びる。このように、光スイッチアッセンブリ２４０ａは、電気コネクタ２２０から離れて配置され、電気コネクタ２２０に接続される。
【００９０】
図１６ａ及び１６ｂは、それぞれ、取り外し可能な調光スイッチアッセンブリ２４０ｂの一実施形態の前方斜視図及び後方斜視図である。この実施形態では、取り外し可能な調光スイッチアッセンブリ２４０ｂは、調光スイッチアッセンブリ１４０ｂを支持する面プレート１４３を含み、調光スイッチアッセンブリ１４０ｂは、端子２５０、２５１、２５２、２５３、２５４及び２５５の所望の組み合わせに作動的に接続される。調光スイッチアッセンブリ２４０ｂは、取付開口２４４、２４５、２４６及び２４７を含む。取付開口２４４及び２４５は、面プレート部分２４３の上フランジ部分２４１を貫通し、取付開口２４６及び２４７は、面プレート部分２４３の下フランジ部分２４２を貫通する。取付開口２４４及び２４５は、図１６ｃの電気システム１００ｊで示されると共に図１６ｄに示されるように、取り外し可能な調光スイッチアッセンブリ２４０ｂが電気コネクタ２２０に作動的に接続されるときに、取付開口２２４及び２２５と整合される。さらに、取付開口２４６及び２４７は、取り外し可能な調光スイッチアッセンブリ２４０ｂが電気コネクタ２２０に作動的に接続されるときに、取付開口２２６及び２２７と整合される。取り外し可能な調光スイッチアッセンブリ２４０ｂは、図１６ｄに示された電気コネクタ２２０に接続された位置と、図１６ｄに示された電気コネクタ２２０から切断された位置との間で繰り返し的に移動できることを留意されるべきである。動作では、出力信号ＳＯｕｔは、調整される取り外し可能な調光スイッチアッセンブリ２４０ｂに応じて提供される。
【００９１】
図１６ｅは、図１４においてより詳細に説明された光スイッチハウジング１２０ｂを含む電気システム１００ｌの斜視図である。この実施形態では、電気システム１００ｌは、電気コネクタ２２０に作動的に接続された取り外し可能なタッチパッドアッセンブリ２４０ｃを含む。取り外し可能なタッチパッドアッセンブリ２４０ｃは、電気コネクタ２２０に接続された位置と、電気コネクタ２２０から切断された位置との間で繰り返し的に移動できる。動作では、出力信号ＳＯｕｔは、指などで係合された取り外し可能なタッチパッドアッセンブリ２４０ｃに応じて提供される。さらに、出力信号ＳＯｕｔは、係合されていない取り外し可能なタッチパッドアッセンブリ２４０ｃに応じて提供されない。
【００９２】
本明細書中に記載された発明の実施形態は、例示的であり、多数の修正、変形及び再編成は、実質的に同等の結果を達成するために想定することができ、その全てが、添付の特許請求の範囲に画定された発明の精神及び範囲内に包含されることが意図される。
【図１】
2013504167.tif 000003
【図２ａ】
2013504167.tif 000004
【図２ｂ】
2013504167.tif 000005
【図２ｃ】
2013504167.tif 000006
【図２ｄ】
2013504167.tif 000007
【図２ｅ】
2013504167.tif 000008
【図３】
2013504167.tif 000009
【図４】
2013504167.tif 000010
【図５ａ】
2013504167.tif 000011
【図５ｂ】
2013504167.tif 000012
【図５ｃ】
2013504167.tif 000013
【図６ａ】
2013504167.tif 000014
【図６ｂ】
2013504167.tif 000015
【図６ｃ】
2013504167.tif 000016
【図６ｄ】
2013504167.tif 000017
【図６ｅ】
2013504167.tif 000018
【図７ａ】
2013504167.tif 000019
【図７ｂ】
2013504167.tif 000020
【図７ｃ】
2013504167.tif 000021
【図８ａ】
2013504167.tif 000022
【図８ｂ】
2013504167.tif 000023
【図８ｃ】
2013504167.tif 000024
【図９ａ】
2013504167.tif 000025
【図９ｂ】
2013504167.tif 000026
【図９ｃ】
2013504167.tif 000027
【図１０ａ】
2013504167.tif 000028
【図１０ｂ】
2013504167.tif 000029
【図１０ｃ】
2013504167.tif 000030
【図１１ａ】
2013504167.tif 000031
【図１１ｂ】
2013504167.tif 000032
【図１１ｃ】
2013504167.tif 000033
【図１１ｄ】
2013504167.tif 000034
【図１２】
2013504167.tif 000035
【図１３ａ】
2013504167.tif 000036
【図１３ｂ】
2013504167.tif 000037
【図１４】
2013504167.tif 000038
【図１５ａ】
2013504167.tif 000039
【図１５ｂ】
2013504167.tif 000040
【図１５ｃ】
2013504167.tif 000041
【図１５ｄ】
2013504167.tif 000042
【図１６ａ】
2013504167.tif 000043
【図１６ｂ】
2013504167.tif 000044
【図１６ｃ】
2013504167.tif 000045
【図１６ｄ】
2013504167.tif 000046
【図１６ｅ】
2013504167.tif 000047
【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
電気システム（１００）であって、
制御アッセンブリ（１１０）と、
電気デバイス（１０５）と、を備え、
制御アッセンブリ（１１０）は、ＡＣ−ＤＣコンバーター（１１１）に作動的に連結された光スイッチアッセンブリ（１４０）を含み、
光スイッチアッセンブリ（１４０）及びＡＣ−ＤＣコンバーター（１１１）は、互いに隣接して配置され、
制御アッセンブリ（１１０）は、ＡＣ信号（１９０）を受け入れることに応じて光スイッチアッセンブリ（１４０）が作動されるときに、ＤＣ信号（１９１、１９２、１９３）を提供し、
電気デバイス（１０５）は、ＤＣ信号（１９１、１９２、１９３）を受け入れることに応じて作動する、電気システム。
【請求項２】
請求項１記載の電気システムにおいて、
光スイッチアッセンブリ（１４０）は、光スイッチ（１４２ａ）である、電気システム。
【請求項３】
請求項１記載の電気システムにおいて、
制御アッセンブリ（１１０）は、作動される光スイッチアッセンブリ（１４０）に応じて閾値電圧レベル以上でＤＣ信号（１９１、１９２、１９３）を駆動する、電気システム。
【請求項４】
請求項１記載の電気システムにおいて、
電気システムは、光スイッチハウジング（１２０）を更に含み、
光スイッチアッセンブリ（１４０）及びＡＣ−ＤＣコンバーター（１１１）は、光スイッチハウジング（１２０）によって支持される、電気システム。
【請求項５】
請求項４記載の電気システムにおいて、
ＡＣ−ＤＣコンバーター（１１１）は、光スイッチハウジング（１２０）によって収容される、電気システム。
【請求項６】
請求項１記載の電気システムにおいて、
電気デバイス（１０５）は、固体ランプ（１８６）である、電気システム。
【請求項７】
請求項１記載の電気システムにおいて、
電気デバイス（１０５）は、光発光ダイオード（１８９ａ）である、電気システム。
【請求項８】
請求項１記載の電気システムにおいて、
制御アッセンブリ（１１０）は、ＡＣ信号（１９０）を受け入れることに応じて光スイッチアッセンブリ（１４０）が作動されていないときに、ＤＣ信号を提供しない、電気システム。
【請求項９】
請求項１記載の電気システムにおいて、
光スイッチアッセンブリ（１４０ｂ）は、調光スイッチ（１４２ｂ）として作動する、電気システム。
【請求項１０】
請求項９記載の電気システムにおいて、
制御アッセンブリ（１１０）は、調光スイッチ（１４２ｂ）を調整することに応じて閾値電圧レベル以上及び閾値電圧レベル以下でＤＣ信号（１９１、１９２、１９３）を駆動する、電気システム。
【国際調査報告】
2013504167.tif 000048
2013504167.tif 000049
2013504167.tif 000050